(57)【要約】  本発明は、一次空気流れが二次空気流れを誘導するために用いられる誘導供給空気ターミナル装置であって、ノズルが、各々３つ以上のノズルの１つまたは複数の集団を備える集団の配置の形態で設けられる誘導供給空気ターミナル装置に関する。集団は、望まれる空気誘導のパターンに依存する所定のパターンに従って配置され得る。
2017503999.tif 000002
【特許請求の範囲】
【請求項１】
空調される室内空間（８）へと開いた少なくとも１つの混合チャンバ（２）と連結された一次供給空気チャンバ（１）と、前記混合チャンバ（２）の各々に連結されて設けられた少なくとも１つある、または、全くない熱交換器（３）と、から成り、
多重ノズルの列が、集団（５）の形態で前記一次供給空気チャンバ（１）の一表面に設けられ、一次空気流れ（４）を少なくとも１つの混合チャンバ（２）へと供給して、熱交換器（３）を通じて流れるときに加熱または冷却されると共に前記混合チャンバ（２）へと導かれる二次空気流れ（６）を誘導し、
前記混合チャンバ（２）では、前記一次供給空気（４）および前記二次空気（６）の両方が混合し、それによって、この混合された空気（７）が、次に、高い空気誘導率で前記空調される室内空間（８）へと導かれている、誘導供給空気ターミナル装置。
【請求項２】
集団における前記多重ノズルの列が３つ以上の数のノズルを備えている、請求項１に記載の装置。
【請求項３】
集団における前記ノズルが、円形、矩形、楕円形、および波形のノズルから選択されている、請求項１または２に記載の装置。
【請求項４】
集団における前記ノズルが、孔、金属板における穿孔カラー、または、金属板における開口に固定された円錐ノズルを備えている、請求項１または２に記載の装置。
【請求項５】
集団における前記ノズルが、金属、プラスチック、またはゴムから作られている、請求項１から４のいずれか一項に記載の装置。
【請求項６】
多重ノズルの前記集団が、空気噴流によって長さ（ｌ１）の多重空気噴流帯域を形成し、前記帯域が、距離ｌ１において単一の空気噴流へと集束し、長さ（ｌ２）の単一の空気噴流帯域を形成する、請求項１から５のいずれか一項に記載の装置。
【請求項７】
集団におけるノズルの列の間の距離（ｄ１）が、ノズルの任意の２つの集団の間の距離（ｄ２）より小さい、請求項１から６のいずれか一項に記載の装置。
【請求項８】
追加的に、ベンチュリ装置が、前記集団のノズルの列から所定の距離において、前記空気噴流帯域に配置されて設けられている、請求項１から７のいずれか一項に記載の装置。
【請求項９】
前記ベンチュリが固定されたベンチュリである、請求項８に記載の装置。
【請求項１０】
前記ベンチュリが調節可能なベンチュリである、請求項８に記載の装置。
【請求項１１】
前記ベンチュリの位置が、前記ベンチュリの絞りにおける最適な中心線の速度の関数であり、さらには前記一次空気流れの流量、前記ノズルの開口面積、および前記二次空気流れに依存している、請求項８から１０のいずれか一項に記載の装置。
【請求項１２】
ベンチュリの絞り直径が、同じ位置における前記空気噴流の直径に等しく設定されている、請求項８から１１のいずれか一項に記載の装置。
【請求項１３】
前記ベンチュリの位置および／または前記ベンチュリの絞り直径が、手動で、またはアクチュエータによって自動で、調節可能である、請求項１０から１２のいずれか一項に記載の装置。
【請求項１４】
前記ベンチュリが、無垢のベンチュリ、膨張可能なベンチュリ、または、一端および調節可能な他端において固定された湾曲された金属／プラスチック板を備えたベンチュリから選択されている、請求項８から１３のいずれか一項に記載の装置。
【請求項１５】
一次供給空気チャンバ（１）と、空調される室内空間（８）へと開いた少なくとも１つの混合チャンバ（２）と、少なくとも１つある、または、全くない熱交換器（３）と、前記一次供給空気チャンバ（１）に設けられた１つまたは複数のノズルであって、一次空気流れ（４）を前記少なくとも１つの混合チャンバ（２）へと供給して、熱交換器（３）を通じて流れるときに加熱または冷却されると共に前記混合チャンバ（２）へと導かれる二次空気流れ（６）を誘導する１つまたは複数のノズルと、から成り、
前記混合チャンバ（２）では、前記一次供給空気（４）および前記二次空気（６）の両方が混合し、それによって、この混合された空気（７）が、次に、前記空調される室内空間（８）へと導かれ、
調節可能なベンチュリ（９）が、前記二次空気の流量（６）を増加するために設けられている、誘導供給空気ターミナル装置。
【請求項１６】
前記ベンチュリの位置が、前記ベンチュリの絞りにおける最適な中心線の速度の関数であり、さらには前記一次空気流れの流量、前記ノズルの開口面積、および前記二次空気流れに依存している、請求項１５に記載の装置。
【請求項１７】
ベンチュリの絞り直径が、同じ位置における前記空気噴流の直径に等しく設定されている、請求項１５または１６に記載の装置。
【請求項１８】
前記ベンチュリの位置および／または前記ベンチュリの絞り直径が、手動で、またはアクチュエータによって自動で、調節可能である、請求項１５から１７のいずれか一項に記載の装置。
【請求項１９】
前記ベンチュリが、無垢のベンチュリ、膨張可能なベンチュリ、または、一端および調節可能な他端において固定された湾曲された金属／プラスチック板を備えたベンチュリから選択されている、請求項１５から１８のいずれか一項に記載の装置。
【請求項２０】
前記ノズルが、列におけるノズルの集団として存在している、請求項１５から１９のいずれか一項に記載の装置。
【請求項２１】
一次供給空気チャンバ（１）と、空調される室内空間（８）へと開いた少なくとも１つの混合チャンバ（２）と、少なくとも１つある、または、全くない熱交換器（３）と、から成り、
多重ノズルの列が、集団（５）の形態で前記一次供給空気チャンバ（１）の一表面に設けられ、一次空気流れ（４）を前記少なくとも１つの混合チャンバ（２）へと供給して、熱交換器（３）を通じて流れるときに加熱または冷却されると共に前記混合チャンバ（２）へと導かれる二次空気流れ（６）を誘導し、
前記混合チャンバ（２）では、前記一次供給空気（４）および前記二次空気（６）の両方が混合し、それによって、この混合された空気（７）が、次に、前記空調される室内空間（８）へと導かれ、
調節可能なベンチュリ（９）が、前記二次空気の流量（６）を増加するために設けられている、誘導供給空気ターミナル装置。
【請求項２２】
前記ベンチュリの位置が、前記ベンチュリの絞りにおける最適な中心線の速度の関数であり、さらには前記一次空気流れの流量、前記ノズルの開口面積、および前記二次空気流れに依存している、請求項２１に記載の装置。
【請求項２３】
ベンチュリの絞り直径が、同じ位置における前記空気噴流の直径に等しく設定されている、請求項２１または２２に記載の装置。
【請求項２４】
前記ベンチュリの位置および／または前記ベンチュリの絞り直径が、手動で、またはアクチュエータによって自動で、調節可能である、請求項２１から２３のいずれか一項に記載の装置。
【請求項２５】
前記ベンチュリが、無垢のベンチュリ、膨張可能なベンチュリ、または、一端および調節可能な他端において固定された湾曲された金属／プラスチック板を備えたベンチュリから選択されている、請求項２１から２４のいずれか一項に記載の装置。
【請求項２６】
集団における前記多重ノズルの列が３つ以上の数のノズルを備えている、請求項２１から２５のいずれか一項に記載の装置。
【請求項２７】
集団における前記ノズルが、円形、矩形、楕円形、および波形のノズルから選択されている、請求項２１から２６のいずれか一項に記載の装置。
【請求項２８】
集団における前記ノズルが、孔、金属板における穿孔カラー、または、金属板における開口に固定された円錐ノズルを備えている、請求項２１から２６のいずれか一項に記載の装置。
【請求項２９】
集団における前記ノズルが、金属、プラスチック、またはゴムから作られている、請求項２１から２８のいずれか一項に記載の装置。
【請求項３０】
多重ノズルの前記集団が、空気噴流によって長さ（ｌ１）の多重空気噴流帯域を形成し、前記帯域が、距離ｌ１において単一の空気噴流へと集束し、長さ（ｌ２）の単一の空気噴流帯域を形成する、請求項２１から２９のいずれか一項に記載の装置。
【請求項３１】
集団におけるノズルの列の間の距離（ｄ１）が、ノズルの任意の２つの集団の間の距離（ｄ２）より小さい、請求項２１から３０のいずれか一項に記載の装置。
【発明の詳細な説明】
【技術分野】
【０００１】
本発明は、一次空気流れが、空気誘導率の高い二次空気流れを誘導するために用いられる誘導供給空気ターミナル装置に関する。
【背景技術】
【０００２】
誘導供給空気ターミナル装置は、必然的に、一次供給空気チャンバと、混合チャンバと、少なくとも１つの熱交換器と、から成る。一次供給空気チャンバから、一次空気は、１つまたはいくつかのノズルを介して出て、混合チャンバへと供給される。二次空気は、この二次空気が加熱または冷却され得る熱交換器を通じて、混合チャンバへと導かれる。一次供給空気は二次空気を誘導し、それら両方が混合チャンバで混合する。この混合された空気は、次に、空調される室内空間へと導かれる。
【０００３】
本発明は、このような誘導供給空気ターミナル装置を提供し、その誘導供給空気ターミナル装置では、一次空気と二次空気との間の空気誘導率が、機器の能力に妥協することなく、またはエネルギーコストの向上をもたらして、もしくは（一次空気流れ）要件を別として、高められる。
【０００４】
室内空間の空気を処理する解決策は、しばしば、冷却ビーム、加熱ビーム、または冷凍ビームを介しての空気の供給を含む。このような冷凍ビームでは、供給空気が室内へと供給される一方、特定の室内空気体積が、誘導効果によって、加熱または冷却のコイルを通じて混合チャンバへと吸い込まれ、それによって混合チャンバで加熱または冷却され、そして、供給空気と混合されて室内へと戻されて循環される。
【０００５】
冷凍ビームは、冷却、加熱、または通気の目的のために使用される空気処理システムの構成部品である。一般的に称されている冷却ビーム、加熱ビーム、または冷凍ビームは、冷却または加熱の能力が、冷却または加熱の負荷全体を処理するために空気処理ユニットを必要とすることによってではなく、冷却ビームへと配管されている低温水または高温水の供給などの異なる状態によって満たされ得る点において、指定された容積の空間にいくつかの利点を提供する。
【０００６】
冷凍ビームは、用いられる対流過程の性質に依存して、受動的または能動的のいずれかにできる。受動的な冷凍ビームは、埋め込まれた箱、または、天井から吊り下げられた箱に空気処理装置が設けられる自然対流過程を用いる。能動的な冷凍ビームでは、通気が、プレナムまたは供給空気室とも称される加圧チャンバへと導入され、そして、空気の自然対流を増進するために、小さい空気ノズルを通じて導入される。
【０００７】
あらゆる冷凍ビームシステムにおいて重要な検討は、室内空気の水分含量が必ず露点条件を下回らなければならないことである。これは、冷凍ビーム表面または水配管表面における凝縮を回避するために重要である。露点条件は、典型的には、冷凍ビームの表面における最も低い温度に基づいて決定される。一次空気が十分に乾燥していると共に大きな体積で存在する場合のみ、内部潜熱負荷が通気によって除去される。従来の除湿技術は、水分除去がこれらの技術に限定されているため、屋内空気の水分レベルを所望のレベルで維持するために、規定された最小限に要求される通気度を必要としていた。空気処理ユニットにおける除湿技術の向上は、空気のより大きな除湿が可能であることを意味し、それによって、最小限に要求される通気度をなおもさらに低くする、または、コードもしくは設計によって命令され得る。
【０００８】
能動的な冷凍ビームの冷却能力は、熱交換器を通じて循環する室内空気（二次空気）の量に基づかれる。この二次空気体積は、ノズルの誘導率と一次空気体積とに依存している。ここで、一次空気体積が少なくされ得るとき、誘導率は、二次空気体積を維持することで冷却能力を同じに維持するために、向上する必要がある。
【０００９】
以下の表は、空気誘導率を高める際の試み／問題の一部を例示している。
【００１０】
【表１】
2017503999.tif 000003
【００１１】
一次空気流量をできる限り少なくして誘導をできる限り大きくすることは、ＨＶＡＣシステムのエネルギー使用の観点から有益である。誘導率は、できる限り少ない一次空気流れと、できる限り短い誘導長さとで、最大限のものになるはずである。
【００１２】
現在の製品では、誘導率は、ノズルの大きさを変えることによって制御されている。より小さいノズルは、より大きい直径を持つ同じ総面積のノズルと比較して、より長い周辺長さのため、より高い誘導率をそれぞれ有する。ノズルがより大きくなるとき、排出スロットにおける空気噴流直径がより大きくなり、そのためノズル同士の間の最小距離も大きくなる。これは、ビームの直線距離当たりのノズルの数を制限してしまう。それぞれにおいて、小さいノズルの場合には、最大の一次空気体積が、チャンバ圧力に基づいて制限されてしまう。誘導率を高くするための別の概念は、同じ開口面積でノズルの周辺長さがより長くなるようにノズルを成形することである。これは、ノズルを円の代わりに花のように成形することで達成され得る。第３の方法は、混合チャンバにベンチュリを有することである。
【００１３】
【表２】
2017503999.tif 000004
【００１４】
以上のように、いくつかの方法が、空気誘導率を増進するまたは高めるために、当分野で提案されている。解決策の一部は、ノズルの変更、または、供給空気を通り抜けさせるように意図された孔を含んでいる。
【００１５】
当分野で提供されたこれらの解決策は、一次空気が通過して出て行くノズルまたは孔の設計において多様性を含み、これらの孔の後の空気の流れは、再循環する室内空気が混合ゾーンに到達し、そこで両方の空気の流れが室内へと流れ出る前に一緒にさせられるための条件を作る。圧力チャンバから出る流れは、異なる形態に構成されるいくつかの孔またはノズルによって制御される。
【００１６】
この種類の装置は、典型的には、二次空気流れを誘導するためにいくつかのノズルを有する。これらのノズルは、孔、スロット、穿孔カラー、円錐形、または任意の他の形のいずれかであり得る。多重ノズルの場合、それらノズルは、１つまたはいくつかの細長い列を形成するような手法で配置され得る。より小さいノズルは、より高い誘導率を有するが、任意の所与の静チャンバ圧においてより小さい一次空気流量も有する。ノズルの大きさは、所与の一次空気チャンバ圧力において必要とされる一次空気流れを供給するために選択される。
【００１７】
誘導供給空気ターミナル装置が様々な一次空気流量で使用され、そのため、同じ装置が、より大きいノズルおよび／またはより小さいノズル、または所望の供給空気の流れを設定するための調節可能な開口面積を有するノズルから成ってもよい。解決策について共通することは、一次空気量と二次空気量との間の割合であり、所望の一次空気流れおよび冷却／加熱能力が満たされるように制御される。知られている解決策の例は特許文献１に記載されており、そこでは、誘導供給空気ターミナル装置が、いくつかのノズルまたは排出開口が存在する一次空気チャンバを備えている。
【００１８】
特徴付けられた排出孔（ここではノズル）を伴う特許文献２は、異なる方向で側方に方向付けられる２つのグループ（７、８）から成る。これらグループは、等距離に配置され、所望の供給空気流れを設定するための調節可能な面積を有する２つの細長いスロット（１３、１６）で構成される。
【００１９】
同様に、異なる大きさの特徴付けられた排出孔を伴う特許文献３は、異なるグループから成る。任意の所与の時点において、各々のグループは１つだけの能動的な排出孔を有することができ、各々グループにおけるこれらの能動的な孔は、同様の特性のものであり、隣接するグループにおける能動的な孔から等距離に配置される。一次空気流量を制限するために用いられる。
【００２０】
特許文献４および特許文献５には、波形とされた出口縁を備えたノズルが記載されている。これは、ノズルから出される騒音を低減する効果を有し、一次空気流れと二次空気流れとの混合を改善することで、一次空気流れが二次空気流れを誘導できる率を高める。この例では、好ましいとされるノズルの形の断面積に対する周辺の割合は、同じ面積の円についての断面積に対する周辺の割合の１．３倍以上である。
【００２１】
より小さいノズルがより大きい誘導率を有する一方、より小さい開口面積は、より小さいノズルがより大きいノズルと同じ量の一次空気を供給できず、そのため誘導される二次空気流れの量もより小さくなることを意味している。ノズル同士の間の距離（ｄ）を、空気噴流（ｈ）の直径より小さい値へと小さくすることで、縮小された誘導長さ（ｌ）と、それによる低減された二次空気流れとをもたらす。
【００２２】
より高いレベルの二次空気流れを誘導するための別の方法は、混合チャンバの内部でベンチュリを用いることである。ベンチュリは、その絞りの大きさが空気噴流の直径の大きさと等しい場合、二次空気流れを増加させる。空気噴流の中心線の速度がより高い場合、ベンチュリの効果がより良好となることも分かっている。そのため、小さい空気流量の場合、ベンチュリの最適な位置は、より大きい空気流量における位置よりもノズルにより近くなる。変化する要求に基づいて、この誘導供給空気ターミナル装置は、異なる空気流量と共に、延いては調節可能なベンチュリの位置と共に、使用できる。
【００２３】
例の特許文献５には、その長さに沿って異なる直径の概して円形の断面を有する固定されたベンチュリから成る混合チャンバを備えた誘導供給空気ターミナル装置が記載されている。
【先行技術文献】
【特許文献】
【００２４】
【特許文献１】国際公開第９８／０９１１５号パンフレット
【特許文献２】欧州特許出願公開第１１８８９９２号明細書
【特許文献３】国際公開第２０１１／０４０８５３号パンフレット
【特許文献４】国際公開第９６／２８６９７号パンフレット
【特許文献５】欧州特許第０８１３６７２号明細書
【発明の概要】
【発明が解決しようとする課題】
【００２５】
最適なベンチュリの位置および直径は、一次空気体積およびノズルの大きさに依存している。異なる組み合わせは、ベンチュリの絞りにおいて異なる噴流の大きさを与える。固定されたベンチュリにおいてあり得るような、絞りの直径が噴流の直径に対して小さ過ぎるか大き過ぎる場合、または、ノズルからの最適でない距離に位置付けられる場合、これは、誘導を効果的に増加させず、あるいは、誘導を低減させる可能性すらある。
【課題を解決するための手段】
【００２６】
本発明は、第一に、空気を加圧されたプレナムから混合チャンバへと供給する開口面積と比較して、より大きい周囲面積を持つ多くのより小さいノズル（集団）を有するため、ノズルの近くでの誘導を増加する。第二に、調節可能なベンチュリは、ベンチュリの絞りを最適に位置付けることができ、そのため、排出開口の近くでの誘導をさらに増加する。この組み合わせは、最も大きい誘導率を提供し、そのため、より小さい一次空気体積によって要求される直線距離当たりの冷却能力を提供する能動的な冷凍ビームの設計を可能にする。
【００２７】
装置の最先端の運転および革新は、添付の図面に描写されている。
【図面の簡単な説明】
【００２８】
【図１】誘導供給空気ターミナル装置の運転原理を示す図である。
【図２】一次空気流量（４）およびノズル（５）の大きさおよび形がすべてのノズルにおいて同じであることを前提としている、異なるノズル距離の場合におけるノズルの運転原理を示す図である。
【図３】ノズル（より大きいノズルおよびより小さいノズル）の作用の原理と共に、集団とされたノズルの列、ノズルの誘導率、必要とされる一次空気流量、誘導される空気の量を示す図である（数字は、原理を説明するための単なる指標である）。
【図４】革新、つまり、多重ノズルの集団の原理を示す図である。
【図５】多重ノズルの集団の列の例を示す図である。
【図６】ベンチュリを備えた誘導供給空気ターミナル装置の運転原理を示す図である。
【図７】ベンチュリの絞りにおいて最適な速度（ｖ）を達成するために、一次空気体積（ｑｖ）、誘導された二次空気体積、およびノズル表面積（Ａ）に基づかれた調節可能なベンチュリの絞りを示す図。
【図８】異なる最適な形および大きさとされた要素が、ベンチュリの絞りを作り出すために、単独または組み合わせのいずれかで利用されている調節可能なベンチュリの配置を示す図である。
【図９（ａ）】集団ノズル配置だけが設けられた装置を示す図である。
【図９（ｂ）】固定されたベンチュリを備えた集団ノズル配置の組み合わせが設けられている本発明の好ましい実施形態を示す図である。
【図９（ｃ）】単一ノズルを備えた調節可能なベンチュリの組み合わせが設けられている本発明の好ましい実施形態を示す図である。
【図９（ｄ）】調節可能なベンチュリを備えた集団ノズル配置の組み合わせが設けられている本発明の好ましい実施形態を示す図である。
【発明を実施するための形態】
【００２９】
本発明は、一次空気流れが二次空気流れを誘導するために用いられる誘導供給空気ターミナル装置であって、ノズルが、各々３つ以上のノズルの１つまたは複数の集団を備える集団の配置の形態で設けられる誘導供給空気ターミナル装置に関する。集団は、望まれる空気誘導のパターンに依存する所定のパターンに従って配置され得る。
【００３０】
本発明は、距離と絞りの大きさとの両方が一次空気体積およびノズル表面積に基づいて調節され得る調節可能なベンチュリが搭載された誘導供給空気ターミナル装置も提供する。
【００３１】
別の実施形態では、本発明は、一次空気流れが二次空気流れを誘導するために用いられる誘導空気ターミナル供給装置であって、ノズルが、各々３つ以上のノズルの１つまたは複数の集団を備える集団の配置の形態で設けられ、ベンチュリ装置が二次空気の流れを増進するために設けられる誘導空気ターミナル供給装置も提供する。ベンチュリは、固定されたベンチュリ、または、調節可能なベンチュリのいずれかであり得る。
【００３２】
本発明では、ノズル配置は、細長い列で等距離に配置される代わりに、小さいノズルの集団を備える。集団は、図５に描写されているような異なるパターンから形成され得る。この場合では、多重ノズルの集団からの空気噴流は、長さ（ｌ１）の多重空気噴流帯域を作り出す。これらの多重空気噴流は、距離ｌ１において単一の空気噴流へと集束し、長さ（ｌ２）の単一の空気噴流帯域を形成する。集団におけるノズルの列の間の距離（ｄ１）は、ノズルの２つの集団の間の距離（ｄ２）より小さい。
【００３３】
集団における多重ノズルの列によって作り出される空気噴流の結果生じる誘導率は、一緒に集団にされたノズルと同じ開口面積を持つ単一ノズルの空気噴流の誘導率と比較して、より大きくなる。
【００３４】
集団は、作り出される必要な表面積に基づいて、数が３から始まってさらに多くのノズルの列を有してもよい。
【００３５】
集団における多重ノズルの列の表面積と等しい表面積の単一ノズルからの一次空気流れによって誘導される二次空気流れは、多重ノズルの集団からの一次空気流れの同じ量によって誘発される二次空気流れよりも小さい。
【００３６】
したがって、本発明は、一次供給空気チャンバ（１）と、空調される室内空間へと開く少なくとも１つの混合チャンバ（２）と、少なくとも１つある、または、全くない熱交換器（３）と、を備える誘導供給空気ターミナル装置を提供する。装置には、熱交換器（３）を通じて流れるときに加熱または冷却されると共に前記混合チャンバ（２）へと導かれる二次空気流れ（６）を誘導するために、一次空気流れ（４）を少なくとも１つの混合チャンバ（２）へと供給する、集団（５）の形態での多重ノズルの列が設けられており、混合チャンバ（２）では、一次供給空気（４）および二次空気（６）の両方が混合し、それによって、この混合された空気（７）が、次に、高い空気誘導率で空調される室内空間（８）へと導かれる。
【００３７】
一実施形態では、集団における多重ノズルの列は３つ以上の数のノズルを有し得る。
【００３８】
別の実施形態では、集団におけるノズルは、形が円形、矩形、楕円形、または波形であり得る。
【００３９】
本発明のさらに別の実施形態では、集団におけるノズルは、孔、金属板における穿孔カラー、または、金属板における開口に固定される円錐ノズルであり得る。
【００４０】
本発明の別の実施形態では、集団におけるノズルは、金属（鉄またはアルミニウム）、プラスチック、またはゴムのいずれかから作られ得る。
【００４１】
本発明の好ましい態様では、多重ノズルの集団からの空気噴流は、距離ｌ１において単一の空気噴流へと集束する長さ（ｌ１）の多重空気噴流帯域を作り出し、長さ（ｌ２）の単一の空気噴流帯域を形成する。
【００４２】
さらなる実施形態では、集団におけるノズルの列の間の距離（ｄ１）は、ノズルの任意の２つの集団の間の距離（ｄ２）より小さい。
【００４３】
空気誘導率が調節可能なベンチュリの使用によって増進される実施形態では、単一ノズル、集団での多重ノズル、または他の方法のいずれとの組み合わせで使用されても、ベンチュリとの組み合わせでノズルまたは集団における多重ノズルの列によって作り出される空気噴流の結果生じる誘導率は、ノズルだけから生じる空気噴流の誘導率と比較されるときよりも大きい。
【００４４】
ここで図６を見ると、ベンチュリ（９）の位置（ｘ）は、ベンチュリの絞りにおける中心線の速度（ｖ）と空気噴流の直径（ｈ）とに基づかれる。そのため、ノズルにおいてより小さい出口速度（ｖｅ）の場合、ベンチュリの絞りは、ノズルにおいてより大きい出口速度（ｖｅ）である場合よりノズルにより近いことになる。この出口速度（ｖｅ）は、一次空気流量（４）とノズルの開口面積とに依存する。中心線の速度（ｖ）は、ノズルにおける出口速度（ｖｅ）と二次空気流れ（６）とに依存している。同時に、ベンチュリの絞り直径（ｙ）は、同じ位置（ｘ）における空気噴流の直径（ｈ）に等しく設定される必要がある。
【００４５】
ここで図８を参照すると、ベンチュリ（９）は、ベンチュリの絞り（９）を作り出すために、単一または一体で用いられ得る２つの異なる最適な大きさおよび形とされた要素から成る。ベンチュリの中心部分（９ａ）は、より大きい混合された空気流れ（７）のための基本的なベンチュリの絞り（９）を作り出す。ベンチュリ（９）の低減部分（９ｂ）は、それらのうちの２つが平行に設置されるとき、両方がベンチュリの絞りの大きさを縮小し（ｙ４＜ｙ３）、絞りの距離をノズル（５）のより近くへと移行する（ｘ４＜ｘ３）ように最適に成形される。低減部分（９ｂ）は、中間の大きさ（ｙ４＜ｙ５＜ｙ３）の絞りを作り出すために、および／または、混合された空気流噴流（７）の進行を変えるために、反対方向において設置され得る。ベンチュリの中心部分（９ａ）および低減部分（９ｂ）は、ともに取り外し可能で再設置可能である。ベンチュリの中心部分（９ａ）および低減部分（９ｂ）の両方は、無垢の材料から作られ得る、中空であり得る、膨張可能であり得る、または、金属板から形成され得る。
【００４６】
単独のノズルまたはノズルの集団のいずれとの組み合わせであろうがベンチュリ装置の使用を含む実施形態では、誘導供給空気ターミナル装置は、一次供給空気チャンバ（１）と、空調される室内空間へと開く少なくとも１つの混合チャンバ（２）と、少なくとも１つある、または、全くない熱交換器（３）と、熱交換器（３）を通じて流れるときに加熱または冷却されると共に混合チャンバ（２）へと導かれる二次空気流れ（６）を誘導するために、一次空気流れ（４）を少なくとも１つの混合チャンバ（２）へと供給する単一のノズルまたは集団（５）での多重ノズルの列とを備え、混合チャンバ（２）では、一次供給空気（４）および二次空気（６）の両方が混合し、それによって、この混合された空気（７）が、次に、空調される室内空間（８）へと導かれ、調節可能なベンチュリ（９）が、二次空気の流量（６）を増加するために設けられる。
【００４７】
一実施形態では、ベンチュリ（９）の位置（ｘ）は、ベンチュリの絞りにおける最適な中心線の速度（ｖ）に基づかれ、その速度（ｖ）は、一次空気流れ（４）の量、ノズルの開口面積、および二次空気流れ（６）に依存する。
【００４８】
別の実施形態では、ベンチュリの絞り直径（ｙ）は、同じ位置（ｘ）における空気噴流の直径（ｈ）に等しく設定される。
【００４９】
別の実施形態では、ベンチュリ（９）の位置（ｘ）および／またはベンチュリ（９）の絞り直径（ｙ）は、手動で、または、アクチュエータによって自動で、調節される。別の実施形態では、ベンチュリ（９）の形および種類は異なってもよく、無垢の、膨張可能、または、一端および調節可能な他端において固定される湾曲された金属／プラスチック板であり得る。
【００５０】
実行された実験を通じて、本発明で具現化された様々な配置を用いて、空気誘導率における明確な増進があった。つまり、
（ａ）固定されたベンチュリを備えた集団ノズル配置。
（ｂ）単一ノズルを備えた調節可能なベンチュリ。
（ｃ）ノズルの集団を備えた調節可能なベンチュリ。
（ｄ）上記の組み合わせの各々が設けられた冷凍ビーム。
【００５１】
このデータは、以下の表にまとめられている。
【００５２】
【表３】
2017503999.tif 000005
【符号の説明】
【００５３】
１  一次供給空気チャンバ
２  混合チャンバ
３  熱交換器
４  一次空気流れ
５  ノズル、集団
６  二次空気流れ、二次空気の流量
７  混合された空気流れ
８  室内空間
９  ベンチュリ
９ａ  中心部分
９ｂ  低減部分
Ａ  ノズル表面積
ｄ１  距離
ｄ２  距離
ｈ  空気噴流の直径
ｌ１  長さ、距離
ｌ２  長さ
ｑｖ  一次空気体積
ｖ  最適な速度、中心線の速度
ｖｅ  出口速度
ｘ  位置
ｙ  絞り直径
【図１】
2017503999.tif 000006
【図２】
2017503999.tif 000007
【図３】
2017503999.tif 000008
【図４】
2017503999.tif 000009
【図５】
2017503999.tif 000010
【図６】
2017503999.tif 000011
【図７】
2017503999.tif 000012
【図８】
2017503999.tif 000013
【図９（ａ）】
2017503999.tif 000014
【図９（ｂ）】
2017503999.tif 000015
【図９（ｃ）】
2017503999.tif 000016
【図９（ｄ）】
2017503999.tif 000017
【国際調査報告】
2017503999.tif 000018
2017503999.tif 000019
2017503999.tif 000020